【手続補正書】
【提出日】平成16年9月1日(2004.9.1)
【手続補正１】
【補正対象書類名】特許請求の範囲
【補正対象項目名】全文
【補正方法】変更
【補正の内容】
【特許請求の範囲】
【請求項１】
バイオマスから誘導された溶液からのマンノースの回収方法であって、該方法は、前記溶液に、実質的にＢａ2+型であるクロマトグラフィー分離樹脂ベッドを少なくとも１種類、及びＢａ2+型以外のクロマトグラフィー分離樹脂ベッドを少なくとも１種類使用したクロマトグラフィー分離プロセスを受けさせること、及び、少なくとも１つのマンノース画分を回収することからなる方法。
【請求項２】
前記クロマトグラフィー分離プロセスが、少なくとも２つのクロマトグラフィー分離工程からなり、これら工程のうちの少なくとも１つは、実質的にＢａ2+型であるクロマトグラフィー分離樹脂ベッドを使用して行い、かつ、これら工程のうちの少なくとも１つは、Ｂａ2+型以外のクロマトグラフィー分離樹脂ベッドを使用して行う請求項１記載の方法。
【請求項３】
バイオマスから誘導された溶液を、実質的にＢａ2+型であるクロマトグラフィー分離樹脂ベッドを含む第１のクロマトグラフィーカラム中に供給すること、前記カラムを、溶離剤を用いて溶離すること、第１のマンノース画分を回収すること、そしてその後、前記第１のマンノース画分を、Ｂａ2+型以外のクロマトグラフィー分離樹脂ベッドを含む第２のクロマトグラフィーカラム中に供給すること、前記カラムを、溶離剤を用いて溶離すること、そして第２のマンノース画分を回収することからなる請求項２記載の方法。
【請求項４】
前記クロマトグラフィー分離プロセスが、実質的にＢａ2+型であるクロマトグラフィー分離樹脂ベッドを使用した２つの分離工程、及びＢａ2+型以外のクロマトグラフィー分離樹脂ベッドを使用した１つの分離工程からなる請求項２記載の方法。
【請求項５】
バイオマスから誘導された溶液を、実質的にＢａ2+型であるクロマトグラフィー分離樹脂ベッドを含む第１のクロマトグラフィーカラム中に供給すること、前記カラムを、溶離剤を用いて溶離すること、第１のマンノース画分を回収すること、
前記第１のマンノース画分を、実質的にＢａ2+型であるクロマトグラフィー分離樹脂ベッドを含む第２のクロマトグラフィーカラム中に供給すること、前記カラムを、溶離剤を用いて溶離すること、第２のマンノース画分を回収すること、
そしてその後、前記第２のマンノース画分を、Ｂａ2+型以外のクロマトグラフィー分離樹脂ベッドを含む第３のクロマトグラフィーカラム中に供給すること、前記カラムを、溶離
剤を用いて溶離すること、そして、第３のマンノース画分を回収することからなる請求項４記載の方法。
【請求項６】
前記Ｂａ2+型以外の樹脂ベッドが、水素、ＮＨ4+、アルカリ金属カチオン及びアルカリ土類金属カチオンから選択されるカチオン形態にある請求項１記載の方法。
【請求項７】
前記カチオンが、ＮＨ4+、Ｎａ+、Ｋ+、Ｍｇ2+及びＣａ2+から選択される請求項６記載の方法。
【請求項８】
前記クロマトグラフィー分離プロセスが、強酸性カチオン交換樹脂を用いて行われる請求項１記載の方法。
【請求項９】
前記クロマトグラフィー分離プロセスにより、ＲＤＳに基づき４５ないし８０％の純度のマンノースを有するマンノース画分が得られる請求項１記載の方法。
【請求項１０】
前記クロマトグラフィー分離プロセスにより、ＲＤＳに基づき８０％以上の純度を有するマンノース画分が得られる請求項１記載の方法。
【請求項１１】
前記クロマトグラフィー分離プロセスにより、マンノース、及びアラビノース、キシロース、ガラクトース、ラムノース及びフルクトースから選択される更なる糖を含むマンノース画分が得られる請求項１記載の方法。
【請求項１２】
前記方法が更に、前記クロマトグラフィー分離工程／工程群の前、後又は間に行われる、膜濾過、イオン交換、蒸発、濾過及び誘導化から選択される１種以上の精製工程を含むことを含む請求項１記載の方法。
【請求項１３】
前記誘導化が、マンノース誘導体として、Ｎ−フェニル−Ｄ−マンノピラノシルアミンを形成することからなる請求項１２記載の方法。
【請求項１４】
前記方法が更に、マンノースを結晶化させ、結晶性マンノース生成物を得ることを含む請求項１記載の方法。
【請求項１５】
前記結晶化が、水、アルコール、及び水とアルコールの混合物から選択される溶媒を用いて行われる請求項１４記載の方法。
【請求項１６】
前記結晶化が、エタノールと水の混合物を用いて行われる請求項１５記載の方法。
【請求項１７】
前記結晶化が、水を用いて行われる請求項１５記載の方法。
【請求項１８】
前記結晶化により、ＲＤＳに基づき９０％以上の純度を有する結晶性マンノースが得られる請求項１４記載の方法。
【請求項１９】
前記結晶化により、ＲＤＳに基づき９５％以上の純度を有する結晶性マンノースが得られる請求項１４記載の方法。
【請求項２０】
前記結晶化により、ＲＤＳに基づき９９％以上の純度を有する結晶性マンノースが得られる請求項１４記載の方法。
【請求項２１】
前記結晶化により、ＲＤＳに基づき９０％ないし９９．９％の純度を有する結晶性マンノースが得られる請求項１４記載の方法。
【請求項２２】
前記方法が更に、他の糖の分離も含む請求項１記載の方法。
【請求項２３】
前記方法が、前処理工程として、キシロースの分離を含む請求項２２記載の方法。
【請求項２４】
前記キシロースの分離が、結晶化によって行われる請求項２３記載の方法。
【請求項２５】
前記方法が更に、アラビノースの分離を含む請求項２２記載の方法。
【請求項２６】
前記アラビノースの分離が、キシロースの沈殿結晶化の前に行われる請求項２５記載の方法。
【請求項２７】
前記アラビノースの分離が、クロマトグラフィー分離プロセスによって行われてアラビノース画分が回収される請求項２５又は２６記載の方法。
【請求項２８】
前記クロマトグラフィー分離が、１価のカチオン形態のクロマトグラフィー分離樹脂ベッドを使用して行われる請求項２７記載の方法。
【請求項２９】
前記１価のカチオンが、水素、アンモニウム及びアルカリ金属カチオンから選択される請求項２８記載の方法。
【請求項３０】
前記カチオンが、Ｈ+、ＮＨ4+、Ｎａ+及びＫ+から選択される請求項２９記載の方法。
【請求項３１】
前記方法が、更に、前記アラビノース画分のクロマトグラフイー精製を含む請求項２７記載の方法。
【請求項３２】
前記アラビノース画分のクロマトグラフィー精製が、アルカリ土類金属カチオン形態のクロマトグラフィー分離樹脂ベッドを使用した少なくとも１工程を含む請求項３１記載の方法。
【請求項３３】
前記アルカリ土類金属がＣａ2+である請求項３２記載の方法。
【請求項３４】
前記アラビノースの分離が、強酸性カチオン交換樹脂を用いて行われる請求項２７記載の方法。
【請求項３５】
前記方法が、更に、前処理工程として、ラムノースの分離を含む請求項２２記載の方法。
【請求項３６】
前記ラムノースの分離が、アラビノースの分離の前に行われる請求項３５記載の方法。
【請求項３７】
前記バイオマスから誘導された溶液が、マンノース、及びキシロース、アラビノース、ラムノース、ガラクトース、グルコース及びフルクトースから選択される更なる糖を含むバイオマス加水分解物である請求項１記載の方法。
【請求項３８】
前記バイオマスから誘導された溶液が、マンノース、及びキシロース、アラビノース及びラムノースから選択される更なる糖を含むバイオマス加水分解物である請求項１記載の方法。
【請求項３９】
前記バイオマスから誘導された溶液が、マンノース含有植物材料から誘導される加水分解物である請求項１記載の方法。
【請求項４０】
前記バイオマスから誘導された溶液が、リグノセルロース系材料から誘導される加水分解物である請求項１記載の方法。
【請求項４１】
前記バイオマスから誘導された溶液が、軟木又は硬木から誘導される加水分解物である請求項１記載の方法。
【請求項４２】
前記バイオマスから誘導された溶液が、古スルフィットパルピング液である請求項３７記載の方法。
【請求項４３】
前記古スルフィットパルピング液が、ラムノースの分離後に回収された古スルフィットパルピング液である請求項４２記載の方法。
【請求項４４】
前記古スルフィットパルピング液が、キシロースの分離後に回収された古スルフィットパルピング液である請求項４３記載の方法。
【請求項４５】
前記マンノースがＤ−マンノースである請求項１記載の方法。
【請求項４６】
マンノース、及びアラビノース、キシロース、ガラクトース、ラムノース及びフルクトースから選択される更なる糖を含む、クロマトグラフィーによるマンノース画分からなるマンノース溶液。
【請求項４７】
植物材料から誘導され、マンノース、及びアラビノース、キシロース、ガラクトース、ラムノース及びフルクトースから選択される更なる糖を含むマンノース溶液からの結晶化によって生成される、ＲＤＳに基づき９０％以上の純度を有する結晶性マンノース。
【請求項４８】
マンノース、及びキシロースから選択される更なる糖を含むマンノース溶液から生成される、請求項４７記載の結晶性マンノース。
【請求項４９】
マンノース、及びガラクトースから選択される更なる糖を含むマンノース溶液から生成される、請求項４７記載の結晶性マンノース。
【請求項５０】
マンノース、及びアラビノースから選択される更なる糖を含むマンノース溶液から生成される、請求項４７記載の結晶性マンノース。
【請求項５１】
リグノセルロース系材料から誘導される、請求項４７記載の結晶性マンノース。
【請求項５２】
軟木又は硬木から誘導される、請求項４７記載の結晶性マンノース。
【請求項５３】
ＲＤＳに基づき９５％以上の純度を有する、請求項４７記載の結晶性マンノース。
【請求項５４】
ＲＤＳに基づき９９％以上の純度を有する、請求項４７記載の結晶性マンノース。
【請求項５５】
Ｄ−マンノースである、請求項４７記載の結晶性マンノース。
【手続補正２】
【補正対象書類名】図面
【補正対象項目名】図１
【補正方法】変更
【補正の内容】
【図１】
2005513161.tif 000001
【手続補正３】
【補正対象書類名】図面
【補正対象項目名】図２
【補正方法】変更
【補正の内容】
【図２】
2005513161.tif 000002
【手続補正４】
【補正対象書類名】図面
【補正対象項目名】図３
【補正方法】変更
【補正の内容】
【図３】
2005513161.tif 000003
【手続補正５】
【補正対象書類名】図面
【補正対象項目名】図４
【補正方法】変更
【補正の内容】
【図４】
2005513161.tif 000004